(57)【要約】【課題】  かつらを装着する際の煩雑さや残毛へのかつら固定を容易にした簡易装着具付きかつらとする。【解決手段】  かつら本体のかつら地の前頭部にヘアバンドを取付けると共にヘアバンドの両端に伸縮自在のゴム紐の両端を連結して、ヘアバンドとゴム紐とが一体の環状体を形成するように構成したものである。【選択図】図１
2016079515.tif 000002
【特許請求の範囲】
【請求項１】
かつら本体のかつら地の前頭部にヘアバンドを取付けると共にヘアバンドの両端に伸縮自在のゴム紐の両端を連結して、ヘアバンドとゴム紐とが一体の環状体を形成するように構成したことを特徴とする簡易装着具付きかつら。
【請求項２】
ヘアバンドに連結する伸縮自在のゴム紐は、長さの調整が可能に構成したことを特徴とする請求項１に記載の簡易装着具付きかつら。
【請求項３】
ヘアバンドは、かつら本体の人工毛髪の装飾状態を果たすように取付けたことを特徴とする請求項１又は２に記載の簡易装着具付きかつら。
【請求項４】
ヘアバンドは、かつた地から脱着可能な構成としたことを特徴とする請求項１から３の何れか１項に記載の簡易装着具付きかつら。
【発明の詳細な説明】
【技術分野】
【０００１】
この発明は、頭部に装着する簡易装着具付きかつらに関する。
【背景技術】
【０００２】
従来、かつらは、頭頂部の毛髪にクリップ等の所定の掛止具を介して装着するようにしており、頭頂部の一部にのみ装着する、いわゆる、ウイッグと称されるかつらは、人工毛髪も少量であるため装着負荷もないため、頭頂部の少ない自毛（残毛）にウイッグの本体をワンタッチのクリップ等で装着している。
他方、頭頂部全体に装着するかつらは、略頭頂部全体を被覆するドーム形状のかつら地に人工毛髪を植生したものであり、頭頂部を被覆するドーム形状のかつら地を、その周縁部に設けられた係止具で頭部の自毛に係止するように構成している（例えば、特許文献１参照）。
【先行技術文献】
【特許文献】
【０００３】
【特許文献１】特開２００４−３５３１２６号公報
【発明の概要】
【発明が解決しようとする課題】
【０００４】
これらのかつらは、女性用、男性用に限らず、必ず、装着者の残毛にかつら地を係止するためのクリップを有しているため、装着者の残毛次第で装着自体が複雑であり、手間を要する等の煩わしさがあり、また、装着後のかつらの固定を重視するあまり、係止具が過緊締状態となり、装着時に痛みを伴うという欠点を有している。
この発明は、かつらを装着する際の煩雑さや残毛へのかつらの固定を容易にした簡易装着具付きかつらとすることにより上記課題を解決せんとする。
【課題を解決するための手段】
【０００５】
この発明は、かつら本体のかつら地の前頭部にヘアバンドを取付けると共にヘアバンドの両端に伸縮自在のゴム紐の両端を連結して、ヘアバンドとゴム紐とが一体の環状体を形成するように構成した簡易装着具付きかつらを提供せんとするものである。
【０００６】
また、ヘアバンドに連結する伸縮自在のゴム紐は、長さの調整が可能に構成したことにも特徴とする。
【０００７】
また、ヘアバンドは、かつら本体の人工毛髪の装飾状態を果たすように取付けたことにも特徴とする。
【０００８】
また、ヘアバンドは、かつら地から脱着可能な構成としたことを特徴とする。
【発明の効果】
【０００９】
本発明によれば、ヘアバンドがかつら地の前頭部に取付けられると共にゴム紐がヘアバンドの両端に連結されているため、かつら本体の装着時には、ヘアバンドが前頭部に位置するように、かつら本体を頭部に被覆した後に、環状のゴム紐を後向きに伸長して、装着者の首筋上部に位置する後頭部に係止し、特に後頭部の隆起下部が丁度髪のうなじ部分に該当するため、このうなじ部分の逆毛にゴム紐後部を引っ掛けながら後頭部の隆起下部に係合する。
すなわち、ヘアバンドとゴム紐によりなる環状の環状体が前頭部から後頭部にかけて装着者の頭部を緊締状に囲繞するヘアバンドと一体のかつら本体の装着固定を緊密に行う。
特にかつら本体の前頭部に位置する部分は、一定幅員のヘアバンドにより前頭部面に密着されており、かつら本体の後頭部に位置する部分はゴム紐により人工毛髪の一部と共に後頭部周面に圧着されていることになる。
すなわち、かつら本体は、装着者の頭部に被覆された状態であるがヘアバンドとゴム紐よりなる伸縮自在の環状の装着具はかつら本体の表面から装着者の頭部に締め付け固定した状態とする。
従って、かつら本体は頭部にゴム紐と伸長して後頭部に係合するのみで確実に装着固定が可能となり、また、脱去する場合もゴム紐と共にかつら本体を頭部から離脱することが容易に行うことができる。しかも、装着時には、ゴム紐の伸縮性により確実に頭部に固定し、かつら装着時のゆがみや不用意な脱落が防止することができる効果がある。
【図面の簡単な説明】
【００１０】
【図１】本発明の簡易装着具付きかつらを示す全体図。
【図２】本発明の簡易装着具付きかつらの装着状態を示す側面図。
【図３】（ａ）かつら装着前の装着者の頭部を示す斜視図、（ｂ）かつら装着後の装着者の頭部を示す斜視図。
【図４】本発明の簡易装着具付きかつらの変形例を示す斜視図。
【図５】脱着式のヘアバンドを示す斜視図。
【図６】脱着式のヘアバンドの裏面側を示す斜視図。
【発明を実施するための形態】
【００１１】
この発明の簡易装着具付きかつらは、かつら本体のかつら地の前頭部にヘアバンドを取付けると共にヘアバンドの両端に伸縮自在のゴム紐の両端を連結して、ヘアバンドとゴム紐とが一体の環状体を形成するように構成したものである。
【００１２】
また、ヘアバンドに連結する伸縮自在のゴム紐は、長さの調整が可能に構成している。
【００１３】
また、ヘアバンドは、かつら本体の人工毛髪の装飾状態を果たすように取付けている。
【００１４】
また、ヘアバンドは、かつら地から脱着可能な構成としている。
【実施例】
【００１５】
この発明の実施例を図面に基づき詳説する。図１は、本発明に係る簡易装着具付きかつらを示す全体図であり、図２は、本発明に係る簡易装着具付きかつらの装着状態を示す側面図である。なお、図１及び図２中の簡易装着具付きかつらにおいては、かつら地が露出しているが、実際はかつら地が露出しないように人工毛髪を密集して植毛した構成としている。
【００１６】
図１に示すように、本実施例の簡易装着具付きかつらＫは、人工毛髪４を植毛したかつら本体２のかつら地３にヘアバンド５を取付けた構成としたことにより、年配者でもスムーズに装着でき、且つ、頭部Ｈへの締め付けを緩和したことで、装着中や装着後の頭痛を生起させない製品に仕上げることができたものである。
【００１７】
具体的には、かつら地３は、頭頂部のみを被覆できるように、例えば、直径約１０ｃｍ程度の略円形状に形成し、頭部Ｈの蒸れを防ぐことができるように、メッシュ状の生地で構成されている。簡易装着具付きかつらＫは、このかつら地３に人工毛髪４を植毛した構成としている。なお、図中においては、かつら地３が露出しているが、実際はかつら地３が露出しないように人工毛髪４を密集して植毛した構成としている。
【００１８】
かつら地３の前頭部３ａには、ヘアバンド５を取付けると共にヘアバンド５の両端５ａ，５ａに伸縮自在のゴム紐６の両端６ａ，６ａを連結して、ヘアバンド５とゴム紐６とが一体の環状体７を形成するように構成している。
【００１９】
ヘアバンド５の取付け位置は、かつら地３の前頭部３ａの縁部３ｂに取り付けることで、帯状のヘアバンド５がカチューシャを自毛に取り付けた状態のように頭部Ｈの飾りとして機能するとともに、ヘアバンド５で分けられた人工毛髪の前髪と頭頂部との分け際部分も自毛にヘアバンド５を取り付けた場合のように自然な仕上がりとすることができる（図３（ｂ）参照）。
【００２０】
ヘアバンド５の左右両端に連結する伸縮自在のゴム紐６は、ヘアバンド５と一体の環状体７をなすように形成している。
【００２１】
また、ゴム紐６には、長さの調整が可能な長さ調整具８を取り付けており、ゴム紐の長さ調整を行うことにより、装着者Ｐの頭部Ｈの大きさに合わせて緊縮具合を調整することができる。長さ調整具８は、ゴム紐６を挿通する挿通孔を形成し、挿通孔内のゴム紐６を付勢する付勢機構を備え、この付勢機構に連結した解除ボタン８ａを押圧することにより、付勢機構による付勢力が解除されて、ゴム紐の長さを伸ばしたり短くしたりすることを可能としている。
【００２２】
さらに、ヘアバンド５の両端に取り付けたゴム紐６についても複数本を取り付けるようにしてもよい。図５及び図６に示す例では、環状のゴム紐６の両端側をヘアバンド５の両端部５ａ，６ａに係止させ、ゴム紐６を２重にした構成を採用している。このような２重ゴム紐の構成によれば、かつらと後頭部とを適度な緊締状態で止めることができ、長時間かつらを装着しても頭部締め付けによる頭痛がなくなるとともに、ゴム紐６の耐久性を向上させることができる。
【００２３】
また、ヘアバンド５に取り付けられるゴム紐６としては、断面が略円形状の丸ゴムや、織ゴム・編ゴム等の平板状の平ゴム等、特に限定されるものではないが、適度な緊締状態を得る観点からは、丸ゴムが好適に用いられる。
【００２４】
長さ調整具８について、かつらを頭部に装着した際に、ゴム紐の長さ調整具と他人に認識されないように、例えば、髪留め形状にして目立たないようにしてもよい。
【００２５】
かつら地３に植毛する人工毛髪４は、カラーや長さやパーマやウエーブして装着者の嗜好に合わせて種々変更してもよい。
【００２６】
かつら地３については、裏面側に装着者の自毛に装着するためのクリップを取り付けるようにしてもよい。
【００２７】
図２及び図３（ｂ）に示すように、本簡易装着具付きかつらＫのかつら本体２を装着者Ｐの頭部Ｈに装着した時には、まず、ヘアバンド５が装着者Ｐの前頭部ＨＦに位置するように、かつら本体２を頭部Ｈに被覆する。すなわち、かつら地３の前頭部３ａが装着者Ｐのおでこと前髪の生え際に位置するように装着している。
【００２８】
次に、かつら本体２を装着者Ｐの頭部Ｈに被覆した後に、環状のゴム紐６を後向きに伸長して、装着者Ｐの首筋Ｎ上部に位置する後頭部ＨＢに係止する。特に後頭部ＨＢの隆起下部が丁度髪のうなじ部分ＨＵに該当するため、このうなじ部分ＨＵの逆毛にゴム紐６後部を引っ掛けながら後頭部ＨＢの隆起下部に係合する。
【００２９】
結果的に、ヘアバンド５とゴム紐６によりなる環状の環状体７により前頭部ＨＦから後頭部ＨＢにかけて装着者Ｐの頭部Ｈを緊締状に囲繞するヘアバンド５と一体のかつら本体２との装着固定が緊密に行われる。
【００３０】
特にかつら本体２の前頭部３ａに位置する部分は、一定幅員のヘアバンド５により前頭部ＨＦ面に密着されており、かつら本体２の後頭部に位置する部分はゴム紐６により人工毛髪４の一部と共に装着者Ｐの後頭部ＨＢ周面に圧着される。
【００３１】
すなわち、かつら本体２は、装着者Ｐの頭部Ｈに被覆された状態であるが、ヘアバンド５とゴム紐６よりなる伸縮自在の環状の環状体７は、かつら本体２の表面から装着者Ｐの頭部Ｈに締め付け固定した状態となる。
【００３２】
従って、かつら本体２は頭部Ｈにゴム紐６と伸長して装着者Ｐの後頭部ＨＢに係合するのみで確実に装着固定が可能となる。また、脱去する場合もゴム紐６と共にかつら本体２を頭部Ｈから離脱することが可能となる。
【００３３】
しかも、装着時には、ゴム紐６の伸縮性により確実に頭部Ｈに固定し、かつら装着時のゆがみや不用意な脱落が防止することができる効果がある。
【００３４】
図４に示す簡易装着具付きかつらＫ’は、変形例であり、ヘアバンド５に装飾用の花飾り５０を取り付けた点が異なる。このようにヘアバンド５に装飾用花飾り５０を付けることで、装着者Ｐの頭部Ｈを華やかに飾ることができ、他者が簡易装着具付きかつらＫ’に視線を移しても、単にカチューシャの様な頭飾りとしか認識できない効果が得られる。
【００３５】
［脱着式ヘアバンド］
図５及び図６に示すように、ヘアバンド５をかつら地３から脱着可能な構成としている。すなわち、ヘアバンド５の裏面側には、人工毛髪４に係止するための毛髪用クリップ２０を配設している。毛髪用クリップ２０は、くし状に複数のピン２２をクリップ台２１に連接し、クリップ台２１は、湾曲変形自在とする構成としている。クリップ台２１が湾曲変形することにより、クリップ基部を押圧して人工毛髪４を係止してヘアバンド５とかつら地とを一体としたり、或いは、クリップ基部がクリップ台２１から離脱することで係止した人工毛髪４から離れてヘアバンド５とかつら地とを分離することができる。
【００３６】
なお、ヘアバンド５の脱着構造として、毛髪用クリップを用いたら、マジックテープ（登録商標）や、スナップボタン等を用いて脱着するようにしてもよい。
【００３７】
このような脱着式ヘアバンドとすることにより、その日の装着者の気分で図４に示すような装飾用花飾り５０を取り付けたヘアバンドに交換することもできる。
【００３８】
図５及び図６に示す例では、環状のゴム紐６の両端側をヘアバンド５の両端部５ａ，６ａに係止させ、ゴム紐６を２重にした構成としており、かつらと後頭部とを適度な緊締状態で止めることができ、長時間かつらを装着しても頭部締め付けによる頭痛がなくすことができる。このような２重ゴム紐構造とすることで、後頭部のうぶ毛が２本それぞれのゴム紐に巻き込まれて、簡易装着具付きかつらＫが装着者の頭部に装着することができる。なお、この２重ゴム取付け構造は、図１中のヘアバンドに適用することも可能である。
【００３９】
さらに、ヘアバンド５には、カール状の人工毛髪を植毛した構成とするようにしてもよい。カール状の人工毛髪が自毛をセットした場合のように見せかけることとなり、人工毛髪によって、髪の毛のボリューム感を視認的に与えることができる。
【００４０】
なお、ヘアバンド５に付ける装飾ついても装飾用花飾り５０に限定することなく、女性が好むリボンや宝飾品をデザインして取り付けるようにしてもよい。
【００４１】
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００４２】
Ｋ  簡易装着具付きかつら
Ｈ  頭部
ＨＦ  前頭部
ＨＢ  後頭部
ＨＵ  うなじ部分
Ｎ  首筋
Ｐ  装着者
２  かつら本体
３  かつら地
４  人工毛髪
５  ヘアバンド
６  ゴム紐
７  環状体
８  調整具
【図１】
2016079515.tif 000003
【図２】
2016079515.tif 000004
【図３】
2016079515.tif 000005
【図４】
2016079515.tif 000006
【図５】
2016079515.tif 000007
【図６】
2016079515.tif 000008